(57)【要約】【課題】  枠体に対する偏心量の測定をできるようにする。【解決手段】  被検レンズ１５を保持する枠体２０を回転させることにより、被検レンズ１５の測定面１５ａの反射スポット位置の変動等から偏心量を求める偏心測定装置で用いられる偏心測定冶具１０であって、枠体２０を取り付け可能な嵌合孔１２を備え、該嵌合孔１２の内周面に対し、芯出しされた状態で基準レンズ１３が設けられていることを特徴とする。【選択図】  図１
2005321256.tif 000002
【特許請求の範囲】
【請求項１】
被検レンズを保持する枠体を回転させることにより、前記被検レンズの測定面の反射スポット位置の変動等から偏心量を求める偏心測定装置で用いられる偏心測定冶具であって、
前記枠体を取り付け可能な嵌合孔を備え、該嵌合孔の内周面に対し、芯出しされた状態で基準レンズが設けられていることを特徴とする偏心測定冶具。
【請求項２】
請求項１に記載の偏心測定冶具を用いて被検レンズの偏心量を測定する偏心量測定方法であって、
前記嵌合孔に前記枠体を取り付ける工程と、
前記基準レンズの光軸を検出する工程と、
前記被検レンズの光軸を検出する工程と、
検出された前記基準レンズの光軸及び前記被検レンズの光軸により前記枠体に対する前記被検レンズの偏心を求める工程とを有することを特徴とする偏心測定方法。
【発明の詳細な説明】
【技術分野】
【０００１】
本発明は、レンズ・鏡枠の偏心測定方法に係り、特に偏心測定装置において被検レンズを保持する偏心測定冶具に関する。
【背景技術】
【０００２】
従来、レンズ系の偏心量を測定する装置として、回転法を用いたものが知られている（例えば、特許文献１及び特許文献２参照。）。これらの特許文献に記載の偏心量測定装置は被検レンズ間の相対的な偏心を測るものであり、被検レンズの枠体に対する偏心を測定するときは、回転対称の被検レンズを保持する枠体の中心軸と、偏心測定冶具の回転軸とが一致するように、偏心測定冶具に枠体を装着することが必要であった。このように、回転軸が一致した状態で回転させ、測定面の反射スポット位置の変動等から回転軸に対する測定面の偏心量を求めている。
【０００３】
一般に、偏心量測定装置に用いられる偏心測定冶具は、図２に示すように、偏心測定冶具１０１が冶具回転機構１０３に連結され、偏心測定冶具の回転軸１０４を回転軸中心として回転可能となっている。また、枠体１０２は偏心測定冶具１０１の取り付け基準面１０１ａに装着されている。被検レンズの枠体に対する偏心を測定するときは、この装着の際に、枠体１０２の回転対称の軸が偏心測定冶具１０１の回転軸１０４に一致するように装着する。すなわち、一致させるためには芯出し作業が必要となる。また、偏心測定は、光源（図示略）から照明した光の被検レンズ面での反射光のスポット位置（図示略）の変動位置などから偏心量を求めることによって行う。例えば、枠体１０２内のレンズ１０５の光源側の表面１０５ａと裏面１０５ｂの球心位置から被検レンズ１０５の光軸１０６が求まる。
【特許文献１】特開平１１−１０８７９３公報
【特許文献２】特開平２００１−１７４２３７公報
【発明の開示】
【発明が解決しようとする課題】
【０００４】
上記特許文献１に記載の偏心測定装置では、被検レンズの枠体に対する偏心を測定するときは、回転対称の被検レンズを保持する枠体の中心軸と、偏心測定冶具の回転軸とが一致するように、枠体を偏心測定冶具に装着することが必要であり、枠体の芯出しに時間がかかり、枠体の芯出し誤差が測定精度に乗るという問題がある。
【０００５】
本発明は、上記の課題を解決するためになされたものであって、枠体に対する偏心量の測定が可能となる偏心測定冶具を提供することを目的とする。
【課題を解決するための手段】
【０００６】
上記目的を達成するために、本発明は、以下の手段を提供する。
本発明の偏心測定冶具は、被検レンズを保持する枠体を回転させることにより、前記被検レンズの測定面の反射スポット位置の変動等から偏心量を求める偏心測定装置で用いられる偏心測定冶具であって、前記枠体を取り付け可能な嵌合孔を備え、該嵌合孔の内周面に対し、芯出しされた状態で基準レンズが設けられていることを特徴とする。
【０００７】
この発明では、まず、基準レンズの表裏両面の球心位置により、基準レンズの光軸を検出する。ここで、基準レンズが嵌合孔の内周面に対して芯出しされた状態で埋設されているので、基準レンズの光軸が枠体の中心軸であるとみなすことができる。したがって、基準レンズの光軸を既知とすることで、嵌合孔に被検レンズを保持した枠体を取り付けるだけで、枠体に対する被検レンズの偏心を測定することが可能になる。
【０００８】
上記に記載の偏心測定冶具を用いて被検レンズの偏心量を測定する偏心量測定方法であって、前記嵌合孔に前記枠体を取り付ける工程と、前記基準レンズの光軸を検出する工程と、前記被検レンズの光軸を検出する工程と、検出された前記基準レンズの光軸及び前記被検レンズの光軸により前記枠体に対する前記被検レンズの偏心を求める工程とを有することを特徴とする。
この発明では、基準レンズの光軸を検出した後、被検レンズの光軸出しを行うことで、枠体に対する被検レンズの偏心を正確かつ容易に測定することができる。
【発明の効果】
【０００９】
本発明に係る偏心測定冶具及び偏心測定方法によれば、嵌合孔に被検レンズを保持した枠体を取り付けることで、枠体に対する被検レンズの偏心を測定することが可能になる。したがって、枠体に対する被検レンズの偏心に基づいて被検レンズの偏心量を測定することが可能となるため、高精度かつ容易な操作で被検レンズの偏心量の測定が可能になる。
【発明を実施するための最良の形態】
【００１０】
次に、本発明の一実施形態について、図１を参照して説明する。
本実施形態に係る偏心測定冶具１０は、図１に示すように、被検レンズ系（被検レンズ）１４を保持する枠体２０を回転させることにより、被検レンズ系１４の測定面の反射スポット位置の変動等から偏心量を求める偏心測定装置で用いられるものである。
【００１１】
偏心測定冶具１０は、貫通孔１１を有する円筒状に形成されており、この貫通孔１１には枠体２０を取り付け可能な嵌合孔１２が形成されている。また、この貫通孔１１の内周面には、基準レンズ１３が保持されている。そして、偏心測定冶具１０に設けられている基準レンズ１３の表面１３ａ側に、枠体２０が嵌合可能となっている。
さらに、この基準レンズ１３は、枠体２０を取り付ける嵌合孔１２の内周面、すなわち、枠体取り付け基準面１２ａに芯出しされた状態で偏心測定冶具１０に埋設されている。ここで、図中Ａは基準レンズ１３の光軸を示している。
【００１２】
また、偏心測定冶具１０は、基準レンズ１３の裏面１３ｂ側に設けられた偏心測定冶具１０を回転させるスピンドル３０に連結されており、偏心測定冶具１０の回転軸Ｂを中心として回転可能となっている。
枠体２０は、円筒状に形成されており、内周面に被検レンズ系１４を保持している（図示例では、長さ方向に被検レンズ３枚を保持）。ここで、図中Ｃは、光源（図示略）から被検レンズ１５の被測定面、例えば１５ａ、１５ｂの球心位置により求められた被検レンズ１５の光軸である。
【００１３】
次に、以上の構成からなる本実施形態の偏心測定冶具１０の作用について、以下に説明する。
本実施形態では、被測定レンズ系１４として、複数のレンズからなるレンズ系が設置されており、それぞれのレンズの被測定面１５ａ，１５ｂの偏心量が順次測定される。
ここでは、最初に、１つ目の被検レンズ系１４における被測定面１５ａの測定過程について以下に詳述する。なお、図１は、基準レンズ１３の光軸Ａと偏心測定冶具１０の回転軸Ｂと被検レンズ１５の光軸とがずれていることを模式的に示しており、被検レンズ１５の偏心の測定方法を以下に説明する。
【００１４】
まず、測定する被測定レンズ系１４を保持した枠体２０を偏心測定冶具１０の嵌合孔１２の枠体取り付け基準面１２ａに装着する。そして、基準レンズ１３の表面１３ａと裏面１３ｂとのそれぞれの球心位置から基準レンズ１３の光軸Ａが検出される。この光軸Ａは、基準レンズ１３が枠体２０を取り付ける枠体取り付け基準面１２ａに芯出しされた状態で偏心測定冶具１０に設けられているため、枠体取り付け基準面１２ａの中心軸と一致している。したがって、基準レンズ１３の光軸Ａが、枠体２０の枠基準軸でもある。
【００１５】
また、枠体２０内の被測定レンズ系１４の被検レンズ１５の表面１５ａと裏面１５ｂとの球心位置から被検レンズ系１４の光軸Ｃが立つ。これにより、基準レンズ１３の光軸Ａと被検レンズ系１４の光軸Ｃとを比較することで、枠体２０に対する被検レンズ系１４の枠基準偏心が求められる。
【００１６】
そして、偏心測定冶具１０の下側（基準レンズ１３の裏面１３ｂ側）から被検レンズ系１４の被測定面１５ａにスポット光を照射した後、スピンドル３０を駆動し偏心測定冶具１０を回転軸Ｂを中心として回転させる。この回転により、結像面（図示略）の光像の位置が変化するので、これを観察することにより被測定面１５ａの偏心量が算出される。次いで、この算出された偏心量と枠体２０に対する被検レンズ系１４の枠基準偏心とにより、被検測定面１５ａの正確な偏心量が算出される。
同様にして、被測定面１５ｂにスポット光を照射して、被検測定面１５ｂの正確な偏心量が算出される。
【００１７】
本実施形態に係る偏心測定冶具１０及び偏心測定方法によれば、基準レンズ１３が枠体取り付け基準面１２ａに対して芯出しされた状態で設けられているため、従来のように枠体２０の回転対称軸と偏心測定冶具１０の回転軸Ｂとを一致するように装着する手間が省けるため、より簡易に被検レンズ系１４の偏心量を測定することが可能となる。さらに、嵌合孔１２の枠体取り付け基準面１２ａに枠体２０を取り付けるだけで、枠体２０に対する被検レンズ系１４の枠基準偏心を求めることができるため、検査に係る作業の短縮化を図ることも可能になる。
【００１８】
なお、本発明の技術範囲は上記実施形態に限定されるものではなく、本発明の趣旨を逸脱しない範囲において種々の変更を加えることが可能である。
【図面の簡単な説明】
【００１９】
【図１】本発明による偏心測定冶具の一実施形態を示す断面図である。
【図２】従来の偏心測定冶具の例を示す断面図である。
【符号の説明】
【００２０】
１０  偏心測定冶具
１２  嵌合孔
１２ａ  枠体取り付け基準面（嵌合孔の内周面）
１３  基準レンズ
１４  被検レンズ系
１５  被検レンズ
２０  枠体
【図１】
2005321256.tif 000003
【図２】
2005321256.tif 000004